(57)【特許請求の範囲】
【請求項１】
居室に隣接している廊下に面してダクトシャフトを設け、屋上に設けた空調機から、前記ダクトシャフト内に設けた竪ダクト、前記廊下の天井裏空間に設けた横引きダクト、廊下と居室との間にある大梁に設けた梁貫通孔、前記大梁の側面に取り付けた吹出口を通して居室内に給気を吹き出す構成とした建物であって、
前記居室を前記廊下の片側に配置し、
前記居室の天井面を直天井仕上げとするとともに、該居室の床面を直床仕上げとし、
前記廊下に二重天井を設け、
前記居室の両側に位置する柱をいずれも桁行方向の幅がスパン方向の幅に比して大きい偏平断面とし、
前記柱間に架設したスパン方向の大梁を幅寸法が成寸法よりも大きい偏平断面とし、
前記廊下に面して外周部に位置する柱を２本の単位柱を近接配置した組柱として、それら単位柱の間に前記ダクトシャフトを設けてなることを特徴とする建物。
【請求項２】
請求項１記載の建物において、前記横引きダクトに可変風量制御装置を設けたことを特徴とする建物。
【発明の詳細な説明】
【０００１】
【発明の属する技術分野】
本発明は、低階高であっても高天井高を確保することが可能な建物に関する。
【０００２】
【従来の技術】
高さ制限のある地域に建物を設ける場合、制限内で階数を可及的に多くするためには各階の階高を小さくする必要がある。たとえば、高さ制限が１０ｍとされる第１種住居専用地域に３階建ての建物を計画する場合、各階の階高は３．３ｍ程度が限度となる。
【０００３】
【発明が解決しようとする課題】
ところで、建物の階高を単に小さくした場合には天井高もそのまま小さくなって快適性や居住性を損なってしまうことがあるし、それを避けるために天井高を大きくしたり二重天井を省略して直天井仕上げとすると、設備関係機器類や配管配線類の設置や納まりが困難になる場合がある。
【０００４】
上記事情に鑑み、本発明は低階高でも有効天井高を大きく確保することが可能な建物を提供することを目的とする。
【０００５】
【課題を解決するための手段】
請求項１の発明の建物は、居室に隣接している廊下に面してダクトシャフトを設け、屋上に設けた空調機から、前記ダクトシャフト内に設けた竪ダクト、前記廊下の天井裏空間に設けた横引きダクト、廊下と居室との間にある大梁に設けた梁貫通孔、前記大梁の側面に取り付けた吹出口を通して居室内に給気を吹き出す構成とした建物であって、前記居室を前記廊下の片側に配置し、前記居室の天井面を直天井仕上げとするとともに、該居室の床面を直床仕上げとし、前記廊下に二重天井を設け、前記居室の両側に位置する柱をいずれも桁行方向の幅がスパン方向の幅に比して大きい偏平断面とし、前記柱間に架設したスパン方向の大梁を幅寸法が成寸法よりも大きい偏平断面とし、前記廊下に面して外周部に位置する柱を２本の単位柱を近接配置した組柱として、それら単位柱の間に前記ダクトシャフトを設けてなることを特徴とする。
【０００６】
請求項２の発明は、請求項１の発明の建物において、前記横引きダクトに可変風量制御装置を設けたことを特徴とする。
【０００７】
【発明の実施の形態】
本発明の一実施形態を図１〜図３を参照して説明する。本実施形態の建物は鉄筋コンクリート造の３階建の学校であって、廊下１の片側に教室２（通常の授業を行うための普通教室）を並べて配置するという平面プランが採用されているものである。この建物は高さ制限が１０ｍである第１種住居専用地域に建てられるものであり、図１および図３に示すように１階および２階の階高を３，２５０ｍｍ、３階の階高を３，３５０ｍｍ、１階の床レベルをＧＬ＋１００ｍｍとすることで全高を９，９５０ｍｍとして制限内に収まるようにしている。
【０００８】
図２における符号３，４は教室２の両側に位置する柱であり、これらの柱３，４としては桁行方向の幅がスパン方向の幅に比して十分に大きい偏平断面のものが用いられている。５は柱３，４間に架設されたスパン方向の大梁であり、この大梁５は幅寸法が成寸法よりも十分に大きい偏平断面のものとされている。６は柱３間に架設された桁行方向の大梁、７は大梁６と間柱８との間に架設された小梁である。９は廊下１の外周部に位置する柱であり、この柱９としては２本の単位柱９ａ，９ａが近接配置された組柱が用いられ、それら２本の単位柱９ａの間には、後述する竪ダクト１０の設置スペースとしてのダクトシャフト１１が設けられている。
【０００９】
符号１２は教室２間を区画している間仕切壁、図１における符号１３は教室２と廊下１とを区画している間仕切壁である。これら間仕切壁１２，１３はたとえばスチール製のパーティション等の乾式工法によるものであって、必要に応じて撤去や位置変更を行い得るものである。１４はバルコニーであり、このバルコニー１４は冬季にはサンルームとして使用可能とされている。
【００１０】
教室２の天井面は直天井仕上げとされて通常のような二重天井は設けられておらず、上階のスラブの下面に適宜の仕上げ（たとえばひる石吹き付け等）を施すのみとされている。また、教室２の床面もスラブの上面に適宜の床仕上げ材（たとえばフローリング等）を直貼りした直床仕上げとされている。そのような直天井仕上げ、直床仕上げとすることにより、スラブ厚と天井仕上げ、床仕上げに要する寸法は２００ｍｍ足らずで済み、したがって上記のように階高を３，２５０ｍｍと十分に小さく設定しても、大梁５および小梁７の位置を除いた部分における有効天井高は３，０００ｍｍ以上と十分に大きく確保できるものとなっており、しかも大梁５を梁成の小さい偏平梁としているのでその梁下寸法も通常断面の梁の場合に比べて大きくなり、教室として十分に快適な環境が得られるものとなっている。
【００１１】
ところで、各教室２には空調設備を設けるのであるが、上記のように教室２の天井を直天井として二重天井を省略しているために、通常のように空調機やダクト、配管等を二重天井内に隠蔽するようなことができず、それらを天井面に露出状態で設置することは見苦しいものであるし教室にはそぐわないものであるので許されず、したがってこの建物では教室２の空調設備として以下のような構成を採用している。
【００１２】
すなわち、図１に示すように、屋上には空調機２０が設けられるとともに主ダクト２１が横引きされ、主ダクト２１から分岐接続された上記の竪ダクト１０が上記のダクトシャフト１１内に設置されている。また、廊下１には簡易な二重天井が設けられてその天井裏空間には各教室２ごとに横引きダクト２２が大梁６に添うように設けられ、その横引きダクト２２は可変風量制御装置２３（いわゆるVAVユニット）を介して竪ダクト１０に接続されている。そして、上記の大梁６には梁貫通孔２４が設けられてその側面には吹出口２５であるノズルが設けられ、空調機２０からの給気は主ダクト２１、竪ダクト１０、横引きダクト２２、梁貫通孔２４を通して吹出口２５から教室２内に吹き出されるようになっている。教室２からの還気は廊下１の要所に設けた還気用の竪ダクト（図示せず）により空調機２０に戻すようにすれば良い。また、教室２に対する換気のために空調機２０には所要量の外気を取り込むようにすれば良い。
【００１３】
上記のような空調設備を採用することにより、教室２内に二重天井を設けずとも空調設備を支障なく設置できて冷暖房および換気を支障なく行うことができ、それ故にこの建物では上記のように教室２の天井を直天井とすることが可能となって、低階高であっても有効天井高を十分に大きくすることができたのである。
【００１４】
特に、上記実施形態では教室２ごとに可変風量制御装置２３を設置したので、教室２ごとに最適な温度制御が可能であり、通常の定風量温度制御方式に比較して省エネルギー効果も得られる。ただし、本発明における空調方式やその制御方式は上記実施形態に限定されるものではなく適宜の変更が可能である。
【００１５】
また、上記実施形態は低階高で高天井高が必要とされる建物として第１種住居専用地域に設ける３階建ての学校を対象としたが、本発明はそれに限らず、任意の用途、規模、構造、形態の建物に広く適用できることはいうまでもない。
【００１６】
【発明の効果】
請求項１の発明の建物は、居室に隣接している廊下に面してダクトシャフトを設け、屋上に設けた空調機からダクトシャフト内に設けた竪ダクト、廊下の天井裏空間に設けた横引きダクト、廊下と居室との間にある大梁に設けた梁貫通孔、大梁の側面に取り付けた吹出口を通して居室内に給気を吹き出す構成とし、特に、居室を廊下の片側に配置し、居室の天井面を直天井仕上げとするとともにその床面を直床仕上げとし、廊下に二重天井を設け、居室の両側に位置する柱をいずれも偏平断面とするとともに、それら柱間に架設したスパン方向の大梁を偏平断面とし、廊下に面して外周部に位置する柱を２本の単位柱を近接配置した組柱としてそれら単位柱の間にダクトシャフトを設けたので、教室に対する空調を支障なく行うことができるとともに、教室を直天井仕上げとすることが可能となり、それ故に低階高で高天井高の建物を実現することができる。
【００１７】
請求項２の発明は、横引きダクトに可変風量制御装置を設けたので、最適な制御が可能であるし省エネルギー効果も得られる。
【図面の簡単な説明】
【図１】  本発明の実施形態である建物の概略構成を示す側断面図である。
【図２】  同、平面図（梁伏図）である。
【図３】  同、部分正断面図である。
【符号の説明】
１  廊下
２  教室（居室）
３，４  柱
５  大梁
６  大梁
９  柱（組柱）
９ａ  単位柱
１０  竪ダクト
１１  ダクトシャフト
２０  空調機
２１  主ダクト
２２  横引きダクト
２３  可変風量制御装置（VAVユニット）
２４  梁貫通孔
２５  吹出口
【図１】
0003752658.tif 000002
【図２】
0003752658.tif 000003
【図３】
0003752658.tif 000004